(57)【要約】  ペンニードルは、投薬ペン上へのニードルベアリングハブの取付けを円滑にするために外側カバーによって取り囲まれている。外側カバーの設計では、使用者が取付けおよび処分の際に患者端ニードルまたは非患者端ニードルと接触する可能性を低減するか、または排除し、ハブが投薬ペン上に完全に取り付けられたときに聴覚的標識を出す。
2016538946.tif 000002
【特許請求の範囲】
【請求項１】
ペンニードルであって、
指保持部を形成する少し凹んだ側部を有する閉鎖遠位端と、患者端ニードルおよび非患者端ニードルを有するニードルベアリングハブを受け入れる開放近位端とを有する外側カバーと、
投薬ペンに取り付けられるように適合された開放近位端を有する前記ニードルベアリングハブであって、前記ハブの前記開放近位端は、前記投薬ペン上への前記ハブの取付け前の初期状態にある前記外側カバーの前記開放近位端と位置合わせされた近位縁によって画成される、前記ニードルベアリングハブと、
前記ハブの前記近位縁にまたは前記外側カバーの前記近位端にヒンジで連結され、前記投薬ペン上への前記ハブの取付けを許す開放位置と、前記ハブまたは前記外側カバー内の前記ニードルの前記非患者端を取り囲む閉鎖位置とを有するフラップと
を備えることを特徴とするペンニードル。
【請求項２】
前記フラップは、前記ハブの前記近位縁にヒンジで連結されることを特徴とする請求項１に記載のペンニードル。
【請求項３】
前記フラップは、前記外側カバーの前記開放近位端にヒンジで連結されることを特徴とする請求項１に記載のペンニードル。
【請求項４】
前記患者端ニードルおよび前記非患者端ニードルは、前記ニードルベアリングハブ内の軸方向ボアに受け入れられる単一のカニューレの対向する端部であることを特徴とする請求項１に記載のペンニードル。
【請求項５】
前記ハブの遠位の患者に面する表面内に形成された環状スロットをさらに備え、前記スロットは、前記患者端ニードルを覆う閉鎖遠位端、前記環状スロット内に受け入れられる開放端、および前記開放端と前記閉鎖遠位端との間のフランジを有する内側ニードルシールドを受け入れ、前記環状スロット内に前記内側ニードルシールドを位置決めすることを特徴とする請求項１に記載のペンニードル。
【請求項６】
前記開放近位端のインボードにある前記外側カバーの側壁内に柔軟なストリップを画成する切欠と、
前記ハブの径方向外向きの表面上の起伏と係合する、前記ストリップの径方向内向きの表面上に形成された突出部であって、前記外側カバーが前記ハブに対して回転させられたときに前記ハブの外面に当たることによって使用者に感覚フィードバックをもたらす突出部と
をさらに備えることを特徴とする請求項１に記載のペンニードル。
【請求項７】
前記柔軟なストリップは、前記外側カバーの側壁上で円周方向に配置構成されることを特徴とする請求項６に記載のペンニードル。
【請求項８】
前記ハブと係合し、前記外側カバー内で前記ハブを位置決めする前記外側カバーの径方向内向きの表面上に形成された少なくとも１つのリブをさらに備えることを特徴とする請求項１に記載のペンニードル。
【請求項９】
前記ハブは、締まり嵌めで前記外側カバーに受け入れられ、それにより、前記外側カバーは、前記ハブが前記投薬ペン上に取り付けられるときに前記外側カバー内に受け入れられている前記ハブと一緒に回転し、前記外側カバーは、前記ハブが前記投薬ペン上に完全に取り付けられた後、前記ハブに対して回転することを特徴とする請求項１に記載のペンニードル。
【請求項１０】
前記ハブは、投薬ペン本体部上のネジ山付き開口部を受け入れる、前記ハブの前記開放近位端の内面上にネジ山を有することを特徴とする請求項１に記載のペンニードル。
【請求項１１】
前記ハブは、平坦な遠位の患者に面する表面、および前記平坦な患者に面する表面の近位に埋め込まれているニードルベアリング支柱を有することを特徴とする請求項１に記載のペンニードル。
【請求項１２】
ペンニードルであって、
少し凹んだ側部を有する閉鎖遠位端と、ニードルベアリングハブを受け入れる開放近位端とを有する外側カバーと、
前記開放近位端において近位に延在し、前記ハブから径方向外向きに湾曲している、複数の突出部を画成する、前記外側カバーの近位縁まで延在する縦方向切欠と
を備えることを特徴とするペンニードル。
【請求項１３】
前記複数の突出部は、投薬ペン上に前記ハブを取り付ける際に外向きに曲がって前記ニードルベアリングハブを解放し、保管する場合には内向きに曲がって前記ニードルベアリングハブを収容することを特徴とする請求項１２に記載のペンニードル。
【請求項１４】
前記開放近位端のインボードにある前記外側カバーの側壁内に柔軟なストリップを画成する切欠と、
前記ストリップの径方向内向きの表面上に形成された突出部であって、前記外側カバーが前記ハブに対して回転させられたときに前記ハブの外面と接触することによって可聴音を鳴らすか、または触感を発生するように前記ハブの径方向外向きの表面上の起伏と係合する、前記ストリップの一端に位置決めされる突出部と
をさらに備えることを特徴とする請求項１３に記載のペンニードル。
【請求項１５】
前記柔軟なストリップは、前記ハブの側壁上で円周方向に向けて設けられることを特徴とする請求項１４に記載のペンニードル。
【請求項１６】
ペンニードルであって、
ハブ上で軸方向に受け入れられる近位端ニードルおよび遠位端ニードルと、
前記遠位端ニードルを覆う前記ハブの上に受け入れられる外側カバーと
を備え、
前記外側カバーは、前記近位端ニードルの近位端を越えて近位に延在する前記ハブの前記近位端の直径よりも大きい直径を持つ近位端側壁を有することを特徴とするペンニードル。
【請求項１７】
前記ハブは、前記ニードルの前記近位端を越えて近位に延在する近位端側壁を有し、前記ハブの前記近位端側壁は、投薬ペン上に取り付ける際に前記外側カバーの前記近位端側壁と接触して、前記ハブの移動を抑制することを特徴とする請求項１６に記載のペンニードル。
【請求項１８】
前記外側カバーは、透明であることを特徴とする請求項１６に記載のペンニードル。
【請求項１９】
前記ハブは、前記近位端ニードルを越えて遠位に延在する近位端側壁を有せず、前記外側カバーと前記ハブとの間に摩擦嵌めをさらに備え、投薬ペン上に取り付ける際に前記ハブの移動を防ぐことを特徴とする請求項１６に記載のペンニードル。
【請求項２０】
前記外側カバーは、前記近位端側壁と前記外側カバーの遠位部分との間に、勾配が付けられた内面を有することを特徴とする請求項１６に記載のペンニードル。
【請求項２１】
前記近位端ニードルおよび前記遠位端ニードルは、前記ハブの軸方向ボア内に位置決めされたカニューレの対向する端部であることを特徴とする請求項１６に記載のペンニードル。
【発明の詳細な説明】
【技術分野】
【０００１】
本発明は、薬剤送達デバイスの分野のものであり、とりわけ、本発明は、投薬ペン（medication pen）を対象としており、特に、投薬ペン本体部上へのペンニードルの取付けと、それに続く使用後のペンニードルの取り外しとを円滑にすると同時に、非患者端カニューレ（non-patient end cannula）を保護する外側カバーを有するペンニードルを対象とする。
【背景技術】
【０００２】
関連出願の相互参照
本出願は、参照により本明細書に組み込まれている、２０１３年１２月５日に出願された米国特許仮出願第６１／９１２，５３８号の利益を主張するものである。
【０００３】
ペンニードルは、自己投与型注射可能薬物のための薬剤送達システムにおいて広く使用されている。普及している一配置構成では、ペンニードルは、層状にされた紙および箔の「涙滴形ラベル」で封止された外側キャップに入れられて提供される。使用者は、熱融着された涙滴形ラベルを外側キャップから取り除き、ニードルベアリングハブ（needle-bearing hub  ニードル支持ハブ）の近位端上の空洞内に配置されている近位端ニードルまたは「非患者」端ニードルを露出させる。次いで、露出されたニードルベアリングハブは、ニードルの非患者端が投薬ペンの薬物保管部分の閉鎖部を穿刺するように投薬ペン上にねじ込まれる。キャップは取り外され、患者端ニードルを支持するハブ上の支柱の上を摺動する、より小さいニードルシールドも、注射を実行する前に取り外される。キャップは、また、ニードルハブアセンブリを取り外すためにも使用され得る。このシステムは、広く受け入れられているが、それでもなお、使いやすさを向上させることが望ましい。
【先行技術文献】
【特許文献】
【０００４】
【特許文献１】米国特許第８，８８７，９１２号明細書
【特許文献２】米国特許出願公開第２００９／００６９７５５号明細書
【発明の概要】
【０００５】
非患者端ニードルと投薬ペンとを位置合わせしてペン上にペンニードルをねじ込む難しい作業を回避するために、本発明の一目的は、取付け時に投薬ペン上に自己位置合わせするペンニードルを提供することである。本発明の別の目的は、使用後に、または開放した後で、ただしペン上に取り付ける前に、再閉鎖され得る非患者端ニードルの上にカバーを設けることである。
【０００６】
本発明の一実施形態によれば、前述の目的は、ペンニードルを使用して達成され、このペンニードルは、指保持部を提供する少し凹んだ（gently concave）側部を有する閉鎖遠位端と、ニードルベアリングハブを受け入れる開放近位端とを有する外側カバーを備える。この実施形態によるニードルベアリングハブは、初期状態において外側カバーの開放近位端と位置合わせされた近位縁によって画成される開放近位端を有する。ハブの近位縁に（または外側カバーの開放端に）ヒンジで連結されたフラップは、投薬ペン上へのハブの取付けを許す開放位置と、ハブ内（また外側カバー内）のニードルの非患者端を取り囲む閉鎖位置とを有する。
【０００７】
この実施形態における外側カバーは、開放近位端のインボードにある外側カバーの側壁内に柔軟なストリップを画成する切欠を備え得る。このストリップ上の径方向内向きに面する突出部は、ハブの径方向外向きの表面上の起伏と係合し、それにより、外側カバーがハブに対して回転されたときにストリップ上の突出部がハブ上の起伏に当たると、突出部は可聴音または触感を発生する。いくつかの実施形態では、ストリップは、円周方向に向けて設けられ、爪機構として働き、反時計回りの方向の回転に抵抗する。
【０００８】
本発明による別の実施形態では、ペンニードルは、指保持部を提供するテーパー付き側部を有する閉鎖遠位端と、ニードルベアリングハブを受け入れる開放近位端とを有する外側カバーを備える。ハブは、近位開放端から近位に延在し、ハブから径方向外向きに湾曲している複数の突出部を画成する、外側カバーの近位縁まで延在する縦方向切欠を有する。初期状態では、ニードルベアリングハブが外側カバーに含まれている場合、突出部は、ハブの近位端を越えて延在し、少し内向きに曲がって、非患者端ニードルからの針刺しから使用者を保護する。したがって、この実施形態では、突出部は、取り付ける際に外向きに曲がってニードルベアリングハブを解放し、保管する場合には内向きに曲がってニードルベアリングハブを収容する。
【０００９】
前の実施形態と同様に、柔軟なストリップは、開放近位端のインボードに備えられた、外側カバーの側壁内に形成されてもよく、ストリップ上の内向きに面している突出部は、外側カバーがハブに対して回転されたときに、この突出部がハブ表面上の起伏と接触すると感覚フィードバックをもたらすように、ハブの径方向外向きの表面上の起伏と係合する。ストリップは、円周方向に向けて設けられ、それにより、これは爪機構として働き、反時計回りの方向の回転に抵抗する。
【００１０】
別の態様では、本発明は、伸長された近位端側壁を持つペンニードル外側カバーを対象とし、近位端上の外側カバー側壁は、非患者端ニードルの端部を越えて延在する。したがって、ニードルは、ペンニードルの近位端上の空洞内に埋め込まれており、ハブは、ニードルが投薬ペンと軸方向に位置合わせされるまで投薬ペンと嵌合され得ない。この配置構成は、ハブが投薬ペンと自己位置合わせされること、および、ハブが投薬ペン上に嵌合される前に、非患者端ニードルが常に投薬ペンに対して適切な軸方向に向けて設けられていることを確実にする。
【図面の簡単な説明】
【００１１】
【図１】本発明の一実施形態による外側カバーおよびハブアセンブリを示す図である。
【図２】図１の外側カバーおよびハブアセンブリを示す分解図である。
【図３】本発明の一実施形態による外側カバーの斜視図である。
【図４】図３の外側カバーの内側の破断図である。
【図５】本発明の一実施形態によるハブアセンブリの斜視図である。
【図６】本発明の別の実施形態による外側カバーの斜視図である。
【図７】図６のアセンブリの分解図である。
【図８】内側ニードルシールドを受け入れるためのスロットを有する遠位の患者に面する側部を示す、本発明の一実施形態によるニードルベアリングハブの図である。
【図９】開放位置にある、図１の外側カバーおよびハブアセンブリを示す図である。
【図１０】伸長された側壁を有するペンニードル外側カバーの図である。
【図１１】図１０のペンニードル外側カバーに受け入れられるように適合されたハブの図である。
【図１２】図１０によるペンニードル外側カバーに受け入れられる、図１１によるハブと、投薬ペンとの係合を示す図である。
【図１３】投薬ペン上にハブが据え付けられた、図１２のアセンブリを示す図である。
【発明を実施するための形態】
【００１２】
これらの図は、本発明を例示することを目的とする概略図であり、縮尺通りに作図されていない。特徴部は、各部分が本発明によりどのように動作するかを示すために拡大されるか、縮小されるか、簡略化されるか、または排除され得る。
【００１３】
本明細書で使用されているように、「遠位」方向は、注射部位の方向にあり、「近位方向」は、その反対方向である。「軸」方向は、注射デバイスの長手方向軸に沿っており、「直径」は、一般的に、長手方向軸に関する直径である。カニューレは、一般的に、デバイス内に軸方向に配置構成される。「径方向」は、軸方向に垂直な方向である。したがって、「径方向内向き」は、一般的に、ニードルにより近いことを意味する。「円周方向」に延在する要素は、要素が円周上に延在することを意味し、例えば、投薬ペン上のネジ山は、ペンの遠位端上の円周方向に配置構成される。「投薬ペン」は、事前充填された薬剤送達デバイスを指すために本明細書では広い意味で使用されている。しかしながら、最も好ましい実施形態では、投薬ペンは、ペン状本体部と、自動投薬に適合された近位に配置されているサムボタンとを有することによって特徴付けられる。「切欠」は、表面の貫通開口部（表面の内側と外側）によって画成される表面上の特徴部を指し、切欠は、開口部が表面の縁まで延在していない場合に「インボード」と言われる。
【００１４】
本発明によるペンニードルは、把持を円滑にするためにテーパー付き側部を有するカバー、および外側カバー内のハブと、ハブがペンニードル上に取り付けられるときにこれら２つの要素が一緒に回転するように係合させるための手段を備える。テーパー付き側部は、使用者の指の形状におおよそ一致して、指保持部を提供するように少し凹んでいる。複数の実施形態では、外側カバーは、ハブの径方向外向きの表面上の起伏と接触し、ニードルベアリングハブが投薬ペン上に取り付けられた後、外側カバーがハブに対して回転するときに聴覚的標識を出す曲げられるストリップを備える。ストリップは、ハブが取り外されようとしているときに外側カバーがハブに関する反時計回りの方向の回転に抵抗するように爪機構を有するものとしてよい。
【００１５】
図１の実施形態では、外側カバー１２は、角１３で終端する凹んだテーパー付き側部１６によって形成される閉鎖遠位端１４を有する。これらの角の反対側にある閉鎖遠位端の側部は、丸くなっている。テーパー付き側部１６は、親指と人差し指で把持することを促し、円滑にし、この目的のためにリブ１８を備え得る。側部１６は、指で保持する形状であることを伝えることを意図され、「少し凹んでいる」と説明される。ハブ１０は、外側カバー１２の近位端内に受け入れられる。図２の分解図は、外側カバー１２に嵌るときのハブ１０の向きを示しており、患者端ニードル２２は、ハブ１０の患者に面する表面から外側カバー１２の内側内に突出する。ニードルベアリングハブ１０の開放端は、投薬ペンに取り付けられるように適合されている。典型的には、ハブは、ネジ山を備えるように適合され、投薬ペン上の対応するネジ山と嵌合する。しかしながら、ハブは、投薬ペン上の対応する溝および／または隆起部と嵌合し、回転あり又は回転なしでハブが取り付けられ、適所にカチリと嵌ることを可能にする、１または複数の溝および／または隆起部を備えるように適合され得る。ハブと投薬ペンとの間の摩擦嵌めも使用され得る。取付け手段は、当業者の選択に任される。ハブ１０の開放端を画成する近位縁２９は、組み立てられた状態にあるカバー１２の開放端と位置合わせされる。非患者端ニードル２６は、ハブが取り付けられるときに投薬ペン本体部内の薬剤カートリッジの隔壁を穿刺するように適合され、好ましくは、ニードル２６は、ハブ１０の開口部の近位縁２９によって形成される平面を越えて突出しない。典型的には、患者端ニードルおよび非患者端ニードルは、各端部上の一点に対して斜角を付けられ、粘着剤または他の手段によってハブ内の軸方向ボア内に貼り付けられる単一のステンレススチールカニューレの対向する端部である。「患者端ニードル」および「非患者端ニードル」に言及した場合、これは、針先を指す−典型的には（必ずというわけではないが）これらは同一のカニューレの対向する端部である。
【００１６】
図示されている実施形態では、ガードフラップ２８は、少なくとも２つの位置、すなわち、ハブを取り付けるための第１の開放位置と、ハブを移送するか、または使用後に破棄するための第２の閉鎖位置を維持することができるヒンジ２７によってハブ１０の近位縁２９に取り付けられる。図１に示されている、閉鎖位置では、フラップ２８は、うっかり針刺ししないように非患者端ニードル２６をシールドする。図２に示されている開放状態では、非患者端ニードル２６は露出され、フラップ２８はニードルの軸と平行であり、ハブは薬剤送達デバイス上にねじ込まれ得る。プラスチック製カムおよび係止要素（図示せず）がヒンジ上に設けられ、ハブまたは外側カバーを圧接してフラップを第１または第２の位置に保持し、フラップが第１の位置から第２の位置に、または第２の位置から第１に位置に移動されるときに抵抗をもたらし得る。当技術分野では、同じプロセスにおけるフラップ２８を含む、ハブ１０とともに成形され得る、一体となったリビングヒンジなどの、射出成形部品とともに使用するように適合され得るさまざまなヒンジ構造物が知られている。カム要素および係止固定具を含むヒンジが開示されている（例えば、この目的のために参照により本明細書に組み込まれている特許文献１参照）。ヒンジの設計は、当業者に任されるものとしてよい。実施形態では、フラップ２８は、ハブの代わりに外側カバー１２にヒンジで連結され得る。
【００１７】
実施形態では、フラップ２８は、２つの閉鎖位置、すなわち、ハブが移送されてその後開放されることを可能にし、それにより、ニードルベアリングハブが投薬ペン上に取り付けられ得る、フラップが解放可能に保持される（例えば、カム面の抵抗に対して）第１の閉鎖位置と、処分のためフラップが閉鎖位置に永久的に係止される第２の位置を備え得る。
【００１８】
図９に示されている実施形態では、ハブ１０の外面は、好ましくは、外側カバー１２上に形成されたストリップ３３と連携して、ハブが投薬ペン上に完全に取り付けられたときに聴覚的標識を出す、一連の縦方向に配置構成された溝２４を備える。図３に示されている実施形態では、ストリップ３２は、ストリップ３２が外側カバー１２に対して曲げられるように外側カバー１２の開放近位端のところに形成される切れ目３４の間に形成される。図４の内部破断図に示されているように、外側カバー１２の内側は、ストリップ３２の径方向内向きの表面上に形成された突出部３８を備える。類似の突出部（図示せず）が、図９の実施形態のストリップ３３の径方向内向きの表面上に設けられ得る。ハブがハブを回転させてネジ接続部上に取り付けることによって投薬ペンに取り付けられる場合、ハブおよび外側カバーは、最初に、一緒に回転する。これは、ハブ１０と外側カバー１２との間の締まり嵌めを形成することによって確実にされ得る。適宜、外側カバー１２の内面上の縦方向リブ３６は、ハブ１０と係合して、締まり嵌めを形成する。しかしながら、ハブ１０が、投薬ペン上に完全にねじ込まれた後、外側カバーを回すと、外側カバー１２はハブに対してさらに回転させられる。柔軟なストリップ３２は、突出部３８が引き摺られて溝２４を横切ると曲がり、ハブが投薬ペン上に完全に取り付けられたことを標識する可聴ラチェット音を鳴らし、および／または触感をもたらす。
【００１９】
図９では、ストリップ３３は、開放近位端のインボードの外側カバー上で円周方向に向けて設けられ、ストリップ３３は爪機構として働く。この構成では、ストリップ３３上の内向きに面する突出部（図９に図示せず）は、ハブが投薬ペン上に完全に据え付けられた後に外側カバーが時計回りの方向に回転されたときに、引き摺られてハブ上の起伏２４を横切るが、この方向を逆転すると、外側カバー１２およびハブ１０は、ハブ１０が処分のため投薬ペンから取り外されるときに、一緒に回転させられる。
【００２０】
本発明の異なる実施形態によるニードルベアリングハブ１０の遠位面５２が図５および図８に示されている。図５および図８を見るとわかるように、ハブ１０の遠位面５２は、ニードルの周りの環状溝（環状スロット）５４を除き、ニードルからハブの周囲まで、もっぱら平坦である。ニードルベアリング支柱がハブ内に埋め込まれ、環状溝５４が患者端ニードル２２の周りに径方向に形成される。この環状溝５４は、フランジ１３７を備える内側ニードルシールド７２を受け入れ（フランジ１３７を含む内側シールド７２は、図７に示されている実施形態と実質的に同一であり得る）、内側シールド７２を環状溝５４内に据え付ける。平坦な圧力パッド領域を有するハブが開示されている（例えば、この目的のために参照によりその全体が本明細書に組み込まれている特許文献２参照）。
【００２１】
図１の外側カバーを使用してニードルベアリングハブ１０を投薬ペン上に取り付けるために、フラップ２８は、図９に示されている位置で、ペンニードルの長手方向軸と揃うまで、図１に示されている閉鎖位置から開放される。この状態において、使用者は外側カバー１２によってハブを保持し、雌ネジを付けられたハブ１０を、アセンブリを時計回りに回転させてペンのネジ山付き端部上に取り付けることによって投薬ペン上に取り付ける。特定の時点において、ハブ１０が、完全に据え付けられたときに、外側カバー１２は、ハブが完全に取り付けられた後にハブ１０に対して回転し、ストリップ３３上の突出部は、引き摺られてハブ上の溝２４を横切るときにラチェット音を鳴らす。外側カバーは、遠位に引くことによって取り外され、投薬ペン上に固定されたハブを残す。この状態で、投薬ペンは、注射を打つ用意ができている。外側カバーは、元に戻され、反時計回りに回されて、ハブをペンから取り外す。これ以降は、フラップ２８は、処分時にうっかり針刺しするのを防ぐために閉鎖され得る。
【００２２】
図６は、外側カバー６０の開放近位端がペンニードルを把持するのを補助する本発明の別の実施形態を示している。外側カバー６０は、親指と人さし指とで把持されるように適合され、湾曲した閉鎖遠位端６１のところで交わる、テーパー付き側部を有する。テーパー付き側部は、先の実施形態と同様に、指保持部を提供するように少し凹んでいる。外側カバー上のテーパー付き側部は、図６に示されているように、使用者の指による保持を高め、湾曲した遠位端のところで交わる、リブ８２を備え得る。開放近位端は、近位に延在し、ハブから径方向外向きに湾曲している複数の突出部６４を画成する外側カバーの近位縁まで延在する縦方向切欠６２を有するように構成される。突出部６４は、非患者端ニードルからうっかり針刺ししないよう使用者を保護する外側カバー内にハブが完全に受け入れられたときに近位方向にハブを越えて延在する。突出部６４は、例えば、カバー６０がハブから引き離されたときに外向きに曲がるように形成される。
【００２３】
図７の分解図は、ハブ１０が内側ニードルシールド７２と、これらの要素が外側カバー６０内に挿入される向きで位置合わせされる状態を示している。前の実施形態と同様に、また図７に示されているように、ハブ１０の径方向外面が起伏とともに備えられ得る。図６に示されているように、切欠８４は、開放近位端のインボードでフラップ１０４を形成する。フラップは、ハブの方へ径方向内向きに面する突出部を備える（図には示されていない）。インボードのフラップ１０４の円周上の向きは、爪として働き、ハブに関する外側カバーの、反時計回りの方向の回転に抵抗する。
【００２４】
本発明の一実施形態によるハブ１０の遠位の患者に面する側部５２が図８に示されている。ニードルの有効貫入深さは、ここでは重要でなく、４ｍｍから８ｍｍ、または当技術分野で知られている他の標準的な長さ、または非標準的な長さであってよい。図示されている実施形態では、ニードルを支えるハブ支柱５７は、ハブ内に埋め込まれている。内側ニードルシールド７２を収容できるようにハブ支柱の周りに環状スロット５４が設けられている。内側ニードルシールドは、環状スロット内に確実に嵌るようにフランジ１３７を備える。
【００２５】
図６の外側カバーを備えるニードルベアリングハブに対する取付手順は、図１の外側カバーに対する手順と類似している。使用前に、ハブ１０は、外側カバー６０内にあり、外側カバー６０上の突出部６４は、ハブの遠位端を越えて延在し、内向きにわずかに曲がり、ハブ上のニードルの非患者端から使用者を保護する。外側カバー６０を投薬ペンのネジ山付き端部上に押し付けると、突出部６４は外向きに広がり、投薬ペンがハブ１０に近づくことを可能にし、ハブ１０は外側カバー６０の時計回りの回転でペン上にねじ込まれる。外側カバー６０を、ペン上にハブが完全に取り付けられた段階を越えて回すと、外側カバー６０は、ハブ１０に対して回転し、外側カバーの側壁上の柔軟なストリップ１０４が引き摺られてハブ１０の起伏のある表面を横切るときに聴覚的標識および／または触覚的標識を出す。この時点で、外側カバー６０は、それを遠位方向に引くことによって取り外され得る。使用者は、ニードルを覆っている内側シールド７２を取り外すと、ペンは注射の用意ができている。処分のためハブ１０を取り外して保管するために、カバー６０は、ハブの上の近位に置かれ、反時計回りに回転され、ハブ１０が外側カバーの突出部６４内に実質的に取り囲まれている状態で遠位に引かれる。
【００２６】
本発明のさらなる態様は、図１０から図１３に示されている。図１０では、外側カバー１００は、ハブ１１０が外側カバー１００内に受け入れられるときに非患者端ニードル１２６の先端部を越えて延在する伸長された近位側壁１０１を備えている。図１１は、この実施形態では、同様に、非患者端ニードル１２６の近位端を越える伸長部１１１を備えるハブ１１０を示している。伸長された側壁１０１は、投薬ペン１２０と非患者端ニードル１２６とがうっかり接触するのを防ぐ。図１２および図１３に示されているように、伸長されたフランジ特徴部１０１、１１１は、一緒に組み立てられているカバー１００およびハブ１１０が、投薬ペン１２０上に取り付けられるときに自己位置合わせするように設けられる。ねじ込みまたは同様の方法で、ハブ１１０が投薬ペン１２０上に取り付けられるようにカバー１００と投薬ペン１２０との間にある程度の隙間が設けられる。したがって、外側カバーの近位端側壁の直径は、ハブの近位端の直径よりも大きい。
【００２７】
非患者端ニードル１２６がある角度で投薬ペン１２０に入り、曲がり、場合によっては中の薬剤区画内の薬剤に到達できない事態を防ぐために、伸長された側壁１０１は、投薬ペンを開口部内に挿入されるときに方向付ける。ハブの近位端を越えて近位方向に外側カバーを伸長させることで、外側カバー１００、およびしたがって、ハブ１１０を投薬ペン上に誘導しやすくなる。例えば、０．０１インチ（０．２５ｍｍ）から１．００インチ（２５．４０ｍｍ）の伸長された側壁が動作可能である。好ましくは、側壁は、ニードルを越えて約０．２０インチ（５．０８ｍｍ）から約１．００インチ（２５．４０ｍｍ）伸長し、より好ましくは、伸長されたフランジは、非患者端ニードルの近位端を越えて約０．２５インチ（６．３５ｍｍ）から約０．５０インチ（１２．７０ｍｍ）の長さを有する。これらの寸法は、カバーの近位端フランジ部分１０１およびハブ１１１の近位端フランジ部分に適用される。近位端側壁１０１とカバー１００の遠位部分との間のカバー１００の内面上の勾配が付けられた側部１２１は、投薬ペン１２０を、使用者が最初にアセンブリを投薬ペン１２０上に置く角度に関係なく適所に誘導する。ハブ１１０が、伸長された近位端側壁１１１を備える場合、ハブの伸長された側壁１１１と外側カバーの伸長された側壁１０１との係合は、ハブ１１０が投薬ペン上に取り付ける際に移動するのを防止する。あるいは、または付加的に、この目的のために、例えば、ハブ１１０に当たって嵌るカバー１００上の勾配が付けられた内向きに突出するリブを使用してハブ１１０とカバー１００との間に摩擦嵌めが設けられ得る。あるいは、ハブ１１０上の隆起部または溝などの係止特徴部は、外側カバー１００上の連携特徴部と連携してハブ１１０を取付けの際に適所に保持することができる。係止特徴部は、使用される場合に、取り付けた後外側カバーをハブから遠位に引くことによって乗り越えられ得る。
【００２８】
カバー１００は、ペン１２０内の薬剤の状況を使用者が視認できるように透明にされ得る。取り付けられた状態は、図１３に示されている。
【００２９】
すべての実施形態におけるハブおよび外側カバーを含む、本明細書で説明されているプラスチック製部品は、限定することなく、ポリプロピレンおよび当技術分野で知られている他のポリマーを含む、射出成形に適したポリマーから作られる。同様に、射出成形、抜き成形、および同様の成形の技術は、投薬ペンを製造する当業者によく知られている。しかしながら、本発明は、特定の生産方法に限定されない。ニードルは、典型的には、標準ゲージの外科手術用ステンレススチール部品である。本発明によるペンニードルは、使いやすいように設計され、インスリンなどの自己投与される薬剤に適合されているが、本発明は、特定の薬剤に限定されない。同様に、上で説明されている４ｍｍ〜８ｍｍの注射深さのニードルは、皮下注射に適しているが、本発明は、皮内注射との併用にも適合され得る。
【００３０】
好ましい実施形態の前述の説明は、以下の請求項で定められる、本発明を制限するものとみなされるべきではない。異なる実施形態が関係しており、したがって、従属請求項において述べられている特徴は、互いに組み合わせる、他の独立請求項と組み合わせる、および他の実施形態と組み合わせることができる。
【図１】
2016538946.tif 000003
【図２】
2016538946.tif 000004
【図３】
2016538946.tif 000005
【図４】
2016538946.tif 000006
【図５】
2016538946.tif 000007
【図６】
2016538946.tif 000008
【図７】
2016538946.tif 000009
【図８】
2016538946.tif 000010
【図９】
2016538946.tif 000011
【図１０】
2016538946.tif 000012
【図１１】
2016538946.tif 000013
【図１２】
2016538946.tif 000014
【図１３】
2016538946.tif 000015
【国際調査報告】
2016538946.tif 000016
2016538946.tif 000017
2016538946.tif 000018